(57)【要約】【課題】カメラ本体を自立させて通常撮影や自己撮影を行なうことが出来るカメラを提供する。【解決手段】本発明に係るデジタルカメラにおいては、撮影レンズ２を具えた本体１に対して表示器６を具えた可動パネル５が枢支され、可動パネル５は、撮影レンズ２の光軸に沿って伸びる第１軸を中心として回動が可能であると共に、該第１軸と直交すると共に可動パネル５に沿って伸びる第２軸を中心として回動が可能であり、可動パネル５を回動させて表示器６を本体１の側面から離間させた姿勢にて、本体１の下端部と可動パネル５の下端部とを接地させて自立させることが可能である。自立状態で撮影を行なう自立撮影モードでは、撮影によって得られた画像に対して、自立状態での撮影レンズ２の光軸回りの回転角度に応じた傾き補正が施される。【選択図】図３
2009139606.tif 000002
【特許請求の範囲】
【請求項１】
撮影レンズ(２)を具えた本体(１)に対して表示器(６)を具えた可動パネル(５)が上端部にて枢支され、可動パネル(５)は、撮影レンズ(２)の光軸に沿って伸びる第１軸を中心として回動が可能であると共に、該第１軸と直交すると共に可動パネル(５)に沿って伸びる第２軸を中心として回動が可能であり、可動パネル(５)を回動させることによって、表示器(６)を本体(１)の側面に対向させた閉じ姿勢と、表示器(６)を撮影方向とは逆の方向に向けた通常撮影姿勢を設定することが可能なデジタルカメラにおいて、
可動パネル(５)を回動させて表示器(６)を本体(１)の側面から離間させた姿勢にて、本体(１)の下端部と可動パネル(５)の下端部とを接地させて自立させることが可能であり、自立状態で撮影を行なう自立撮影モードでは、撮影によって得られた画像に対して、自立状態での撮影レンズ(２)の光軸回りの回転角度に応じた傾き補正が施されることを特徴とするデジタルカメラ。
【請求項２】
可動パネル(５)が前記閉じ姿勢から前記第１軸回りに回動して表示器(６)が本体(１)の側面から離間した後に可動パネル(５)が前記第２軸回りに回動して表示器(６)が本体(１)の側面とは反対側を向いた通常撮影姿勢にて、本体(１)の下端部と可動パネル(５)の下端部とを接地させて自立させることが可能であり、自立状態で撮影を行なう自立撮影モードでは、撮影によって得られた画像に対し、自立状態での撮影レンズ(２)の光軸回りの回転角度と表示器(６)の姿勢とに応じた傾き補正が施される請求項１に記載のデジタルカメラ。
【請求項３】
可動パネル(５)が前記閉じ姿勢から前記第１軸回りに回動して表示器(６)が本体(１)の側面から離間した後に可動パネル(５)が前記第２軸回りに回動して表示器(６)が撮影方向とは逆の方向を向いた通常撮影姿勢にて、本体(１)の下端部と可動パネル(５)の下端部とを接地させて自立させることが可能であり、自立状態で撮影を行なう自立撮影モードでは、撮影によって得られた画像に対し、自立状態での撮影レンズ(２)の光軸回りの回転角度と表示器(６)の姿勢とに応じた傾き補正が施される請求項１に記載のデジタルカメラ。
【請求項４】
可動パネル(５)が前記閉じ姿勢から前記第１軸回りに回動して表示器(６)が本体(１)の側面から離間すると共に可動パネル(５)が前記第２軸回りに回動して表示器(６)が撮影方向と同じ方向を向いた自己撮影姿勢にて、本体(１)の下端部と可動パネル(５)の下端部とを接地させて自立させることが可能であり、自立状態での撮影画像に対し、自立状態での撮影レンズ(２)の光軸回りの回転角度と表示器(６)の姿勢とに応じた傾き補正が施される請求項１に記載のデジタルカメラ。
【請求項５】
ユーザによる操作に応じて前記自立撮影モードが設定され、自立撮影モードの設定に応じて前記傾き補正が実行される請求項１乃至請求項４の何れかに記載のデジタルカメラ。
【請求項６】
可動パネル(５)が回動して表示器(６)が本体(１)の側面から離間した姿勢にて本体(１)のグリップ部(３)の下端部と可動パネル(５)の下端部が接地して自立している状態を検知する検知手段を具え、ユーザによる操作に応じて前記自立撮影モードが設定され、自立撮影モード設定状態での前記検知手段の検知に応じて、前記傾き補正が実行される請求項１乃至請求項４の何れかに記載のデジタルカメラ。
【請求項７】
可動パネル(５)が回動して表示器(６)が本体(１)の側面から離間した姿勢にて本体(１)のグリップ部(３)の下端部と可動パネル(５)の下端部が接地して自立している状態を検知する検知手段を具え、該検知手段の検知に応じて自立撮影モードが設定され、自立撮影モードの設定に応じて前記傾き補正が実行される請求項１乃至請求項４の何れかに記載のデジタルカメラ。
【請求項８】
自立状態での撮影において、可動パネル(５)の表示器(６)には、表示器(６)の姿勢に関わらず正常な向きで撮影画像の表示が行なわれる請求項１乃至請求項７の何れかに記載のデジタルカメラ。
【請求項９】
自立撮影モードの設定に応じて、可動パネル(５)の表示器(６)には、自立撮影モードでの撮影状態を表わすアイコン画像が表示される請求項１乃至請求項８の何れかに記載のデジタルカメラ。
【発明の詳細な説明】
【技術分野】
【０００１】
本発明は、静止画及び／又は動画を撮影することが可能なデジタルカメラに関するものである。
【背景技術】
【０００２】
デジタルカメラにおいては、前方の風景を撮影する通常撮影やユーザ自身を撮影する自己撮影の際、三脚を用いてカメラ本体を一定の高さ位置に保持した状態で、セルフタイマーの設定やリモートコントロール操作によって画像の取り込み(シャッター操作)が行なわれる。
【０００３】
しかしながら、カメラと一緒に三脚を持ち歩くことは不便で煩わしいため、図１３に示す如くカメラ本体(100)にスタンド(102)を取り付けることによって、カメラ本体(100)を机上に自立させ、ディスプレイ(101)を見ながら撮影を行なうことが出来るカメラが提案されている(特許文献１)。
該カメラによれば、スタンド(102)の姿勢を変化させることによって、撮影方向Ｘを調節することが出来る。
【特許文献１】特開２００３−５２６６号公報
【発明の開示】
【発明が解決しようとする課題】
【０００４】
ところが、図１３に示すカメラによってもカメラ本体(100)にスタンド(102)を角度調節可能に取り付ける必要があるため、構造が複雑となる問題がある。
そこで本発明の目的は、三脚やスタンド等の付属部品を用いることなく、カメラ本体を自立させて、通常撮影や自己撮影を行なうことが出来るカメラを提供することである。
【課題を解決するための手段】
【０００５】
そこで本発明者らは、図１及び図２に示す如く、撮影レンズ(２)を具えた本体(１)に対して表示器(６)を具えた可動パネル(５)が上端部にて枢支されているデジタルカメラに着目した。
該デジタルカメラにおいて、可動パネル(５)は、撮影レンズ(２)の光軸に沿って伸びる第１軸Ａ１を中心として回動が可能であると共に、該第１軸Ａ１と直交すると共に可動パネル(５)に沿って伸びる第２軸Ａ２を中心として回動が可能である。
【０００６】
該デジタルカメラによれば、図１に示す如く表示器(６)が本体(１)の側面に対向した閉じ姿勢から、図２の如く可動パネル(５)が前記第１軸回りに回動して表示器(６)が本体(１)の側面から離間し、更に可動パネル(５)が前記第２軸回りに回動して、図１０の如く表示器(６)が本体(１)の側面とは反対側を向いた姿勢で、本体(１)の下端部と可動パネル(５)の下端部とを接地させて自立させることが可能である。
【０００７】
又、図１０に示す回動姿勢から、図４の如く可動パネル(５)が前記第２軸回りに回動して表示器(６)が撮影方向とは逆の方向を向いた姿勢にて、本体(１)のグリップ部(３)の下端部と可動パネル(５)の下端部とを接地させて自立させることが可能である。
【０００８】
更に又、図１０に示す回動姿勢から、図３の如く可動パネル(５)が前記第２軸回りに回動して表示器(６)が撮影方向とは逆の方向を向いた姿勢にて、本体(１)のグリップ部(３)の下端部と可動パネル(５)の下端部とを接地させて自立させることが可能である。
【０００９】
本発明に係るデジタルカメラは、上述の構成、即ち撮影レンズ(２)を具えた本体(１)に対して表示器(６)を具えた可動パネル(５)が上端部にて枢支され、可動パネル(５)は、撮影レンズ(２)の光軸に沿って伸びる第１軸を中心として回動が可能であると共に、該第１軸と直交すると共に可動パネル(５)に沿って伸びる第２軸を中心として回動が可能であり、可動パネル(５)を回動させて表示器(６)を本体(１)の側面から離間させた姿勢にて、本体(１)の下端部と可動パネル(５)の下端部とを接地させて自立させることが可能な構成を前提として、自立状態で撮影を行なう自立撮影モードでは、撮影によって得られた画像に対して、自立状態での撮影レンズ(２)の光軸回りの回転角度(傾斜)に応じた傾き補正を施すものである。
【００１０】
尚、自立状態での撮影において、可動パネル(５)の表示器(６)には、表示器(６)の姿勢に関わらず正常な向きで撮影画像の表示が行なわれる。
【００１１】
上記本発明のデジタルカメラにおいては、可動パネル(５)を回動させて表示器(６)を本体(１)の側面から離間させた姿勢にて、本体(１)の下端部と可動パネル(５)の下端部とを接地させて自立させた場合、本体(１)は撮影レンズ(２)の光軸回りに一定角度だけ回転(傾斜)した姿勢となり、この姿勢で撮影を行なった場合、撮影画像は前記一定角度だけ傾いたものとなる。そこで、自立状態で撮影を行なう自立撮影モードでは、撮影によって得られた画像に対して、自立状態での撮影レンズ(２)の光軸回りの回転角度に応じた傾き補正を施すことにより、本体(１)の姿勢に応じた傾斜を修正した正常な向きの撮影画像を得る。
【００１２】
第１の具体的構成においては、図１０に示す如く、可動パネル(５)が前記閉じ姿勢から前記第１軸回りに回動して表示器(６)が本体(１)の側面から離間した後に可動パネル(５)が前記第２軸回りに回動して表示器(６)が本体(１)の側面とは反対側を向いた通常撮影姿勢にて、本体(１)の下端部と可動パネル(５)の下端部とを接地させて自立させることが可能であり、自立状態で撮影を行なう自立撮影モードでは、撮影によって得られた画像に対し、自立状態での撮影レンズ(２)の光軸回りの回転角度と表示器(６)の姿勢とに応じた傾き補正が施される。これによって、本体(１)の姿勢に関わらず正常な向きの撮影画像が得られる。
【００１３】
第２の具体的構成においては、図４に示す如く、可動パネル(５)が前記閉じ姿勢から前記第１軸回りに回動して表示器(６)が本体(１)の側面から離間した後に可動パネル(５)が前記第２軸回りに回動して表示器(６)が撮影方向とは逆の方向を向いた通常撮影姿勢にて、本体(１)の下端部と可動パネル(５)の下端部とを接地させて自立させることが可能であり、自立状態で撮影を行なう自立撮影モードでは、撮影によって得られた画像に対し、自立状態での撮影レンズ(２)の光軸回りの回転角度と表示器(６)の姿勢とに応じた傾き補正が施される。これによって、本体(１)の姿勢に関わらず正常な向きの撮影画像が得られる。
【００１４】
第３の具体的構成においては、図３に示す如く、可動パネル(５)が前記閉じ姿勢から前記第１軸回りに回動して表示器(６)が本体(１)の側面から離間すると共に可動パネル(５)が前記第２軸回りに回動して表示器(６)が撮影方向と同じ方向を向いた自己撮影姿勢にて、本体(１)の下端部と可動パネル(５)の下端部とを接地させて自立させることが可能であり、自立状態での撮影画像に対し、自立状態での撮影レンズ(２)の光軸回りの回転角度と表示器(６)の姿勢とに応じた傾き補正が施される。これによって、本体(１)の姿勢に関わらず正常な向きの撮影画像が得られる。
【００１５】
尚、可動パネル(５)の各回動位置では、本体(１)に対して可動パネル(５)をクリック感をもって軟係止することにより、各回動位置の検知及び傾き補正を精度のよいものとすることが出来る。
【００１６】
ここで、前記傾き補正を実行するタイミングに関しては、次の３つの形態が採用可能である。
第１の形態においては、ユーザによる操作に応じて前記自立撮影モードが設定され、自立撮影モードの設定に応じて前記傾き補正が実行される。
【００１７】
第２の形態においては、可動パネル(５)が回動して表示器(６)が本体(１)の側面から離間した姿勢にて本体(１)のグリップ部(３)の下端部と可動パネル(５)の下端部が接地して自立している状態を検知する検知手段を具え、該検知手段の検知に応じて前記自立撮影モードが設定され、前記傾き補正が実行される。
第２の形態によれば、自立撮影モード設定のためのユーザ操作は不要となる。
【００１８】
第３の形態においては、ユーザによる操作に応じて前記自立撮影モードが設定され、自立撮影モード設定状態での前記検知手段の検知に応じて、前記傾き補正が実行される。
第３の形態によれば、自立撮影モード設定時には傾き補正は施されず、その後の自立状態の検知によって、前記傾き補正が実行される。
【００１９】
更に具体的な構成において、自立撮影モードの設定に応じて、可動パネル(５)の表示器(６)には、自立撮影モードでの撮影状態を表わすアイコン画像が表示される。
これによってユーザは、自立撮影モードによる撮影時には、可動パネル(５)を回動させて表示器(６)を本体(１)の側面から離間させた姿勢にて、本体(１)の下端部と可動パネル(５)の下端部とを接地させて自立させるべきことを、アイコン画像から容易に認識することが出来る。
【発明の効果】
【００２０】
本発明に係るデジタルカメラによれば、三脚やスタンド等の付属部品を用いることなく、カメラ本体を自立させて、通常撮影や自己撮影を行なうことが出来る。
【発明を実施するための最良の形態】
【００２１】
以下、本発明の実施の形態につき、図面に沿って具体的に説明する。
本発明に係るデジタルカメラは、図１及び図２に示す如く、撮影レンズ(２)を具えた本体(１)と、液晶表示器(６)を具えた可動パネル(５)と、本体(１)の側部に可動パネル(５)の上端部を枢支するヒンジ部(４)とを具え、本体(１)には、撮影時に把持すべきグリップ部(３)が下向きに突設されている。
【００２２】
本体(１)には、種々の操作を行なう操作ダイヤル(11)やシャッター釦(12)が配備されている。
可動パネル(５)は、撮影レンズ(２)の光軸に沿って伸びる第１軸Ａ１を中心として回動が可能であると共に、該第１軸Ａ１と直交すると共に可動パネル(５)に沿って伸びる第２軸Ａ２を中心として回動が可能である。
【００２３】
ヒンジ部(４)は、図１１に示す如く、前記本体(１)内に固定される本体側フレーム(41)と、前記可動パネル(５)内に固定される表示側フレーム(42)と、本体側フレーム(41)と表示側フレーム(42)の間に介在する連結フレーム(43)とを具え、本体側フレーム(41)と連結フレーム(43)とは、第１軸Ａ１回りの相対回転を許容する第１枢軸(44)によって互いに連結され、表示側フレーム(42)と連結フレーム(43)とは、第２軸Ａ２回りの相対回転を許容する第２枢軸(45)によって互いに連結されている。
【００２４】
１．第１実施形態
第１実施形態のデジタルカメラにおいては、図１に示す閉じ姿勢から可動パネル(５)を回動させて、図３に示す如く液晶表示器(６)が本体(１)のグリップ部(３)の側面から離間すると共に液晶表示器(６)が撮影方向Ｘと同じ方向を向いた姿勢にて、本体(１)の下端部と可動パネル(５)の下端部とを接地させて自立させることが可能であり、この自立状態で自己撮影を行なうことが出来る。
【００２５】
又、図１に示す閉じ姿勢から可動パネル(５)を回動させて、図４に示す如く液晶表示器(６)が本体(１)のグリップ部(３)の側面から離間すると共に液晶表示器(６)が撮影方向Ｘとは逆の方向を向いた姿勢にて、本体(１)の下端部と可動パネル(５)の下端部とを接地させて自立させることが可能であり、この自立状態で通常撮影を行なうことが出来る。
【００２６】
図５(ａ)(ｂ)に示す如く、グリップ部(３)の下端部にはＯＮ／ＯＦＦスイッチ(７)が内蔵されており、該ＯＮ／ＯＦＦスイッチ(７)は、図５(ａ)の様に作動ピン(71)がバネ付勢によってグリップ部(３)の下端面から突出している状態ではＯＦＦとなり、図５(ｂ)の様にＯＮ／ＯＦＦスイッチ(７)のピン(71)が押圧されて後退することによってＯＮとなる。
従って、図３及び図４に示す自立状態では、本体(１)のグリップ部(３)の下端部が接地されることにより、前記ＯＮ／ＯＦＦスイッチ(７)はＯＦＦからＯＮに切り替わることになる。
【００２７】
又、図６に示す如く、本体(１)には、ヒンジ部(４)の近傍位置にマグネット(８)が設置される一方、可動パネル(５)には、図示の如く液晶表示器(６)が撮影方向Ｘと同じ方向を向いた姿勢でマグネット(８)と対向することとなる位置に、第１ＭＲセンサー(81)が配置されると共に、液晶表示器(６)が撮影方向Ｘとは逆の方向を向いた姿勢でマグネット(８)と対向することとなる位置に、第２ＭＲセンサー(82)が配置されている。
従って、図３に示す自己撮影状態が設定されたときは、第１ＭＲセンサー(81)からオン信号が発せられる一方、図４に示す通常撮影状態が設定されたときは、第２ＭＲセンサー(82)からオン信号が発せられることになる。
【００２８】
上記デジタルカメラにおいては、ユーザの操作によって自立撮影モードが設定され、これによって、可動パネル(５)の液晶表示器(６)には、自立撮影モードでの撮影状態を表わすアイコン画像が表示される(図示省略)。
その後、ＯＮ／ＯＦＦスイッチ(７)からオン信号が得られると共に、第１ＭＲセンサー(81)からオン信号が得られたときは、図３に示す自己撮影状態が設定されたものと判断する。又、ＯＮ／ＯＦＦスイッチ(７)からオン信号が得られると共に、第２ＭＲセンサー(82)からオン信号が得られたときは、図４に示す通常撮影状態が設定されたものと判断する。
【００２９】
自己撮影状態においては、図８(ａ)に示す様に、可動パネル(５)の液晶表示器(６)には、自己の映像が表示されることになる。通常撮影状態においては、図８(ｂ)に示す様に、可動パネル(５)の液晶表示器(６)には、前方の風景が表示されることになる。
【００３０】
自己撮影状態や通常撮影状態で得られる撮影画像に対しては、自立状態での撮影レンズ(２)の光軸回りの回転角度(本体(１)の傾斜)と表示器(６)の姿勢(傾斜及び上下関係)とに応じた傾き補正が施される(特開２０００−２８２６８３号公報、特開２００５−１７５５６３号公報、特開２００５−３１８４０１号公報等参照)。
【００３１】
例えば、自己撮影時の撮影画像に対しては、図９に示す如く、本体(１)の傾斜に応じて傾いた原フレーム画像Ｆ０をメモリに格納した後、該メモリからの読み出しを制御することによって、原フレーム画像Ｆ０から内接フレーム画像Ｆ１を切り出す。そして、液晶表示器(６)には、内接フレーム画像Ｆ１に基づいて、傾斜のない正常な画像Ｆ２を表示する。又、シャッター操作が行なわれたときは、内接フレーム画像Ｆ１に対し、画像中心を原点とする回転座標変換(水平方向を維持する様に画像データを読み出す処理)を施し、これによって得られた補正画像を撮像画像としてメモリカード等に格納する。
通常撮影時の撮影画像に対しても同様の回転座標変換による傾き補正が施される。
【００３２】
上記デジタルカメラによれば、三脚やスタンド等の付属部品を用いることなく、カメラ本体を自立させて、通常撮影や自己撮影を行なうことが出来る。
尚、ユーザによる自立撮影モードの設定を行なうことなく、ＯＮ／ＯＦＦスイッチ(７)やＭＲセンサー(81)(82)からのオン信号のみに基づいて、撮影画像に対する傾き補正を実行する構成を採用することも可能である。
又、ＯＮ／ＯＦＦスイッチ(７)やＭＲセンサー(81)(82)を省略し、ユーザによる自立撮影モードの設定のみに応じて、撮影画像に対する傾き補正を実行する構成を採用することも可能である。この場合、自立撮影モードの設定に応じて、液晶表示器(６)に表示すべき画像に必要な傾き補正を施す。
【００３３】
図５に示すＯＮ／ＯＦＦスイッチ(７)は、グリップ部(３)の下端部に限らず、可動パネル(５)の下端部に配備することも可能である。
又、ＯＮ／ＯＦＦスイッチ(７)を省略し、ユーザ自身の操作に応じて撮影画像に対する傾き補正を指令することも可能である。
【００３４】
図６に示すマグネット(８)と２つのＭＲセンサー(81)(82)の配置関係については、本体(１)に２つのＭＲセンサー(81)(82)を配置し、可動パネル(５)にマグネット(８)を配置する構成も採用可能である。
又、自立撮影モードにおいては、ＭＲセンサー(81)(82)からのオン信号のみに応じて撮影画像に対する傾き補正を施す構成も採用可能である。
【００３５】
２．第２実施形態
第２実施形態のデジタルカメラにおいては、図１０に示す如く、可動パネル(５)が前記閉じ姿勢から前記第１軸回りに回動して液晶表示器(６)が本体(１)のグリップ部(３)の側面から離間した後、可動パネル(５)が前記第２軸回りに回動して液晶表示器(６)が本体(１)のグリップ部(３)の側面とは反対側を向いた姿勢にて、本体(１)の下端部と可動パネル(５)の下端部とを接地させて自立させることが可能であり、この状態で通常撮影を行なうことが出来る。
【００３６】
図５(ａ)(ｂ)に示す如く、グリップ部(３)の下端部にはＯＮ／ＯＦＦスイッチ(７)が内蔵されており、図１０に示す自立状態では、本体(１)のグリップ部(３)の下端部が接地されることにより、前記ＯＮ／ＯＦＦスイッチ(７)はＯＦＦからＯＮに切り替わることになる。
【００３７】
上記デジタルカメラにおいては、ユーザの操作によって自立撮影モードが設定され、これによって、可動パネル(５)の液晶表示器(６)には、自立撮影モードでの撮影状態を表わすアイコン画像が表示される(図示省略)。
その後、ＯＮ／ＯＦＦスイッチ(７)からオン信号が得られたときは、図１０に示す通常撮影状態が設定されたものと判断する。
【００３８】
通常撮影状態で得られる撮影画像に対しては、自立状態での撮影レンズ(２)の光軸回りの回転角度(本体(１)の傾斜)に応じた傾き補正が施される。
即ち、図１０に示す如く、本体(１)の傾斜に応じて傾いた原フレーム画像Ｆ０をメモリに格納した後、該メモリからの読み出しを制御することによって、原フレーム画像Ｆ０から内接フレーム画像Ｆ１を切り出す。そして、液晶表示器(６)には、内接フレーム画像Ｆ１に基づいて、傾斜のない正常な画像を表示する。又、シャッター操作が行なわれたときは、内接フレーム画像Ｆ１に対し、画像中心を原点とする回転座標変換を施し、これによって得られた補正画像を撮像画像としてメモリカード等に格納する。
【００３９】
上記デジタルカメラによれば、三脚やスタンド等の付属部品を用いることなく、カメラ本体を自立させて、通常撮影を行なうことが出来る。
尚、ユーザによる自立撮影モードの設定を行なうことなく、ＯＮ／ＯＦＦスイッチ(７)からのオン信号のみに基づいて、撮影画像に対する傾き補正を実行する構成を採用することも可能である。
又、ＯＮ／ＯＦＦスイッチ(７)を省略し、ユーザによる自立撮影モードの設定のみに応じて、撮影画像に対する傾き補正を実行する構成を採用することも可能である。この場合、自立撮影モードの設定に応じて、液晶表示器(６)に表示すべき画像に必要な傾き補正を施す。
【００４０】
３．第３実施形態
第３実施形態のデジタルカメラにおいては、ＯＮ／ＯＦＦスイッチ(７)やマグネット(８)及びＭＲセンサー(81)(82)に替えて、図１１に示す如く、ヒンジ部(４)を構成する第１枢軸(44)に第１回転検出スイッチ(９)を内蔵すると共に、第２枢軸(45)に第２回転検出スイッチ(91)を内蔵する。
そして、第１回転検出スイッチ(９)及び第２回転検出スイッチ(91)からの検出信号に基づいて、図３に示す自己撮影状態、図４に示す第１の通常撮影状態、図１０に示す第２の通常撮影状態を検知する。
【００４１】
回転検出スイッチ(９)(91)としては、例えばロータリエンコーダの他、タクトスイッチとカム機構の組合せからなるスイッチ機構等を採用することが出来る。
【００４２】
図７(ａ)に示す様に、可動パネル(５)が撮影方向Ｘよりも稍上方を向いた姿勢(５Ａ)から反時計方向に回動して、可動パネル(５)が撮影方向Ｘよりも稍下方を向いた姿勢(５Ｂ)に至る回動過程においては、液晶表示器(６Ａ)に通常とは上下逆関係で画像を表示する。これによって、自己撮影状態では、正常な上下関係で画像を表示することが出来る。
【００４３】
これに対し、図７(ｂ)に示す様に、可動パネル(５)が撮影方向Ｘよりも稍下方を向いた姿勢(５Ｂ)から更に反時計方向に回動して、可動パネル(５)が垂直上方を向いた姿勢(５Ｃ)に至る回動過程においては、液晶表示器(６)には、通常の上下関係で画像を表示する。これによって、通常撮影状態では、正常な上下関係で画像を表示することが出来る。
【００４４】
その他の構成は、第１実施形態のデジタルカメラと同様であって、第１実施形態のデジタルカメラと同様の効果を得ることが出来る。
尚、該デジタルカメラにおいても、ユーザによる自立撮影モードの設定を行なうことなく、回転検出スイッチ(９)(91)からの信号のみに基づいて、撮影画像に対する傾き補正を実行する構成を採用することが可能である。
【００４５】
４．第４実施形態
第４実施形態のデジタルカメラにおいては、図１２(ａ)(ｂ)に示す如くグリップ部(３)の側面にＯＮ／ＯＦＦスイッチ(92)が配備されており、可動パネル(５)の角部によってＯＮ／ＯＦＦスイッチ(92)が押圧されることにより、撮影画像に対する傾き補正が実行される。
【００４６】
その他の構成は、第１実施形態のデジタルカメラと同様であって、第１実施形態のデジタルカメラと同様の効果を得ることが出来る。
尚、該デジタルカメラにおいても、ユーザによる自立撮影モードの設定を行なうことなく、ＯＮ／ＯＦＦスイッチ(92)からの信号のみに基づいて、撮影画像に対する傾き補正を実行する構成を採用することが可能である。
【図面の簡単な説明】
【００４７】
【図１】本発明に係るデジタルカメラの閉じ姿勢を表わす斜視図である。
【図２】該デジタルカメラの開き姿勢を表わす斜視図である。
【図３】該デジタルカメラの自己撮影状態を表わす斜視図である。
【図４】該デジタルカメラの通常撮影状態を表わす斜視図である。
【図５】ＯＮ／ＯＦＦスイッチのＯＮ／ＯＦＦ状態を示す図である。
【図６】マグネットと２つのＭＲセンサーの配置を表わす斜視図である。
【図７】可動パネルの回動角度に応じた画像反転処理を説明する図である。
【図８】自己撮影状態と通常撮影状態での画像表示例を表わす図である。
【図９】自己撮影状態における画像処理を説明する図である。
【図１０】第２の通常撮影状態における画像処理を説明する図である。
【図１１】ヒンジ部の構成と２つの回転検出スイッチの配置を示す図である。
【図１２】他のＯＮ／ＯＦＦスイッチの配置を示す斜視図である。
【図１３】従来のカメラを示す斜視図である。
【符号の説明】
【００４８】
(１)  本体
(２)  撮影レンズ
(３)  グリップ部
(４)  ヒンジ部
(５)  可動パネル
(６)  液晶表示器
(７)  ＯＮ／ＯＦＦスイッチ
(８)  マグネット
(81)  第１ＭＲセンサー
(82)  第２ＭＲセンサー
(９)  第１回転検出スイッチ
(91)  第２回転検出スイッチ
(92)  ＯＮ／ＯＦＦスイッチ
【図１】
2009139606.tif 000003
【図２】
2009139606.tif 000004
【図３】
2009139606.tif 000005
【図４】
2009139606.tif 000006
【図５】
2009139606.tif 000007
【図６】
2009139606.tif 000008
【図７】
2009139606.tif 000009
【図８】
2009139606.tif 000010
【図９】
2009139606.tif 000011
【図１０】
2009139606.tif 000012
【図１１】
2009139606.tif 000013
【図１２】
2009139606.tif 000014
【図１３】
2009139606.tif 000015